(57)【特許請求の範囲】
【請求項１】
下側が開口した略逆さお椀形状のりん本体部と、前記りん本体部を支持する上側が開口したベース部材とを有し、
前記りん本体部は中央部に貫通孔を有し、
前記ベース部材は支持部材を立設してあり、
前記りん本体部内側に配設した打りん部材を有し、
前記打りん部材は第１弾性部材を介して前記支持部材に支持されており、
前記りん本体部の上方に配置した揺動体の芯部が前記りん本体部の貫通孔に挿通され前記打りん部材に連結されていることを特徴とするりん。
【請求項２】
前記りん本体部は第２弾性部材を介して、前記支持部材に支持されていることを特徴とする請求項１記載のりん。
【発明の詳細な説明】
【技術分野】
【０００１】
本発明は、揺動体の揺れにより音が鳴るりんに関する。
【背景技術】
【０００２】
本出願人は、先に風あるいは手で軽く触れることで揺動する接触作用体により、音が鳴るりんを提案している（特許文献１）。
本発明は、上記りんのデザイン性及び機能を向上させたものである。
【先行技術文献】
【特許文献】
【０００３】
【特許文献１】特許第５６５１８２１号公報
【発明の概要】
【発明が解決しようとする課題】
【０００４】
本発明は、デザイン性に優れ、音が鳴りやすい、りんの提供を目的とする。
【課題を解決するための手段】
【０００５】
本発明に係るりんは、りん本体部と、当該りん本体部の内側に配設した打りん部材と、当該打りん部材から立ち上がるように立設連結した揺動体とを備え、前記打りん部材は、前記揺動体の揺れによりりん本体部を打りん可能に支持部材により支持されていることを特徴とする。
ここで、揺動体とは、軽く手で触れたり、弱い風を受けるだけで左右に揺れるものをいう。
また、打りん部材そのものが、りん形状をしていても良い。
【０００６】
本発明において、りん本体部は上側が開口したもの及び下側が開口したものの両方を含む。
また、りん本体部は下側が開口した略お椀形状であり、前記りん本体部の中央部付近に貫通孔を有し、前記貫通孔を挿通させて前記打りん部材と揺動体を連結した態様にしてもよい。
【０００７】
本発明において、支持部材を立設し、且つ上側が開口したベース部材を有し、前記りん本体部は前記ベース部材の内側又は上側に配置してあってもよい。
このようにすると、りん本体部とベース部材とでいろいろなデザイン性を付与することができる。
【０００８】
本発明において、打りん部材及びりん本体部は前記支持部材に設けた弾性部材を介して支持されているのが好ましい。
このようにすると、りんが鳴りやすく、りん音が長くなる。
【発明の効果】
【０００９】
本発明に係るりんは、音色が美しくデザイン性に優れることから、いろいろな生活空間にマッチングし、音を楽しむことができる。
【図面の簡単な説明】
【００１０】
【図１】（ａ）は本発明に係るりんのデザイン例を示し、（ｂ）はりん本体部の内部構造例を示す。
【図２】支持部材及び打りん部材の構造例を示す。
【図３】（ａ），（ｂ）は打りん部材の形状例を示す。
【図４】（ａ）〜（ｃ）はベース部材の形状例及びりん本体部の配置例を示す。
【図５】（ａ）〜（ｅ）はりんのデザイン例を示す。
【図６】（ａ），（ｂ）は球状の磁石を連結した例を示す。
【発明を実施するための形態】
【００１１】
以下、本発明に係るりんの例を図に基づいて説明する。
本発明に係るりん１は、例えば図１（ａ）に示すようにベース部材１１の上側に配設したりん本体部１０と、りん本体部１０の中央部付近に設けた図２に示すような貫通孔１０ａを挿通させて立設した揺動体２０とからなる。
りん本体部の内部構造例を図１（ｂ）に示す。
図１に示した実施例は、上側が開口した半球お椀形状のベース部材１１の内側底部から立設した支持部材１２を介して、下側が開口した半球状の逆さお椀形状のりん本体部１０とを上下方向に対向配置した例になっている。
従って、ベース部材１１とりん本体部１０にて全体として略球形状になっている。
図２に示すように、りん本体部１０の中央部付近には貫通孔１０ａを有し、この貫通孔１０ａに揺動体２０の芯部を挿通し、連結部２１としてリング状の打りん部材２２の中心部２２ｃに連結してある。
芯部の周囲と貫通孔１０ａとの間には、所定のクリアランスを設けてある。
この打りん部材２２は左右に可動し、りん本体部１０の内側を打りんできるように、例えばスプリングからなる第１弾性部材１３を介して、支持部材１２に保持させてある。
支持部材１２は、上部側が複数の支持片部１２ａに分割されている。
打りん部材２２は、外形となるリング部２２ａと、揺動体２０の連結部２２ｃとを複数のアーム部２２ｂで連結した構造になっており、このアーム部２２ｂを上記複数の支持片部１２ａの間の離間部１２ｂに配置し、連結部２２ｃの下面側を第２弾性部材１３にて支持した例になっている。
打りん部材２２の連結部２２ｃから立設した揺動体２０の芯部の周囲を囲むようにスプリング状の第２弾性部材１４を配設し、この第２弾性部材１４にてりん本体部１０の下面中央部の被支持部１０ｂを支持することで、ベース部材１２からりん本体部１０が浮上するように弾性支持されている。
従って、揺動体２０及びこの下部に連結した打りん部材２２は、第１弾性部材１３に支持され、りん本体部１０は第２弾性部材１４にて支持されている。
この際に、支持部材１２の支持片部１２ａの先端部１２ｃと、りん本体部の裏面の被支持部１０ｂとの間には隙間ｄ２を有し、りん本体部１０の周辺下端部１０ｃとベース部材１１の周辺上端部１１ｂとの間に隙間ｄ１を有する。
これにより揺動体２０が揺れると、第１弾性部材１３にて支持された打りん部材が左右に動き、りん本体部１０を内側から打りんでき、りん本体部１０は第２弾性部材１４にて支持されているので、振動しやすく、音色が美しく、残響音も長い。
【００１２】
なお、本発明は揺動体２０の揺れにより、打りん部材２２がりん本体部を打りん可能に支持されていれば本実施例に限定されない。
例えば、りん本体部の貫通孔１０ａの内側にチューブ状の弾性リングを介して揺動体の芯部を保持すると、第２弾性部材が不要となる。
また、揺動体２０の形状に制限がなく、図１に示したような羽根形状であってもよく、植物の葉のような薄片状になったものでもよい。
また、各種キャラクターをあしらったものでもよい。
【００１３】
図３に打りん部材２２のアーム形状の変形例を示し、またこのようなリング状でなくてもよい。
【００１４】
図４にりん本体部１０と、ベース部材１１との配置変形例を示す。
（ａ）は、お椀形状のベース部材１１の内側にお椀を逆さにした状態のりん本体部１０を配置した例である。
必要に応じて、デザイン上の装飾部材４０を取り付けてもよい。
また、図１に示した実施例はベース部材１１の底部が平坦部１１ａになっていて、ベース部材１１が左右に揺れないが、図４（ａ）はベース部材１１の外側底面を緩やかな凸面状にしてベース部材１１も揺動する例である。
（ｂ）は、上部に挿入孔１１ｃを設けた容器状のベース部材１１の内側にりん本体部１０を配置するとともに、第１弾性部材１３にて直接打りん部材２２を支持させた例を示す。
（ｃ）は、コップ形状のベース部材１１の内側にりん本体部１０を配置した例である。
【００１５】
図５には、りん全体のデザインを変えたりんの形状例を（ａ）〜（ｅ）に示す。
図１がりん本体部１０とベース部材１１とで略球形状にしたものであったのに対して、図５（ａ）は側面視で楕円状にした例であり、（ｂ）は台座を設けた例である。
（ｃ）はボトル状、（ｄ）は吊り下げた球状、（ｅ）はりん本体部の形状を変形させた例である。
【００１６】
図６には、揺動体２０の支持方法の変形例を示す。
玉状の磁石３１〜３２の上下のＮ極，Ｓ極を用いて、数珠状に連結した例である。
例えば、球型のネオジウム磁石は、半分がＮ極，半分がＳ極であり、磁力を用いて複数をつなぐことができる。
例えば、図６（ａ）に示したように揺動体２０が左右に揺れると、磁石同士が接点連結しながら弾性体のように左右に折れ曲がる。
また、図６（ｂ）に示すように球型磁石３１〜３５を磁力にて数珠状にぶら下げると、磁力で連結されながら矢印で示したように左右に揺れる。
このように複数の球型磁石を連結させて全体として弾性体のように使用することもできる。
これにより、磁力の大きさ、あるいは球型磁石の数により、弾性力の調整ができ、また、脱着も容易である。
【符号の説明】
【００１７】
１        りん
１０      りん本体部
１０ａ    貫通孔
１１      ベース部材
１２      支持部材
１３      第１弾性部材
１４      第２弾性部材
２０      揺動体
２１      連結部
２２      打りん部材
【図１】
0006671646.tif 000002
【図２】
0006671646.tif 000003
【図３】
0006671646.tif 000004
【図４】
0006671646.tif 000005
【図５】
0006671646.tif 000006
【図６】
0006671646.tif 000007